(57)【要約】【課題】竹の子（筍）の発生を防止し不用な竹の増殖を抑制する竹の地下茎枯殺方法及び地下茎枯殺作業具を提供する。【解決手段】地面Ｇ上に露出した竹の切株４０の上端中央部に、上端にグリップ部２２を有する串状の穿孔部材２を槌３で叩いて打ち込んで切株４０の稈節４１の隔壁部４２に貫通孔部４を次々に形成し、グリップ部２２を手で把持して穿孔部材２を切株４０から引き抜き、切株４０の上端開口部４０ａに地下茎４３を枯死させる液剤を注入し、貫通孔部４を通して切株４０の下部４４まで到達させる。【選択図】図１
2011229467.tif 000002
【特許請求の範囲】
【請求項１】
地面（Ｇ）上に露出した竹の切株（４０）の上端中央部に、上端にグリップ部（２２）を有する串状の穿孔部材（２）を槌（３）で叩いて打ち込んで上記切株（４０）の稈節（４１）の隔壁部（４２）に貫通孔部（４）を次々に形成し、上記グリップ部（２２）を手（Ｈ）で把持して上記穿孔部材（２）を上記切株（４０）から引き抜き、
上記切株（４０）の上端開口部（４０ａ）に上記地下茎（４３）を枯死させる液剤（Ｓ）を注入し、上記貫通孔部（４）を通して上記切株（４０）の下部（４４）まで到達させることを特徴とする竹の地下茎枯殺方法。
【請求項２】
上記液剤（Ｓ）を注入した後、上記切株（４０）の上から防水用の閉栓部材（５）を被せて上記貫通孔部（４）を閉塞する請求項１記載の竹の地下茎枯殺方法。
【請求項３】
上記槌（３）により上記穿孔部材（２）を打ち込んで上記隔壁部（４２）に横断面多角形状乃至星形状の貫通孔部（４）を形成し、上記手（Ｈ）により上記穿孔部材（２）を捩じって該貫通孔部（４）を円形に拡大して引き抜く請求項１又は２記載の竹の地下茎枯殺方法。
【請求項４】
上記液剤（Ｓ）が、塩化ナトリウム水溶液である請求項１，２又は３記載の竹の地下茎枯殺方法。
【請求項５】
竹を伐採した後の切株（４０）に突き刺して稈節（４１）の隔壁部（４２）に貫通孔部（４）を形成する串状の穿孔部材（２）と、該穿孔部材（２）を叩いて上記切株（４０）に打ち込むための槌（３）とを、備え、
上記穿孔部材（２）が、先端部（２１）を上記切株（４０）の下部（４４）に達するような長さ寸法（Ｌ）を有する串本体部（２０）と、該串本体部（２０）の基端部（２３）に固着されたグリップ部（２２）とを、有することを特徴とする地下茎枯殺作業具。
【請求項６】
上記穿孔部材（２）の串本体部（２０）を断面多角形状乃至星形状に形成した請求項５記載の地下茎枯殺作業具。
【請求項７】
上記槌（３）は、ヘッド部（３１）から握り柄部（３２）にわたって上記穿孔部材（２）を収納可能な挿入孔部（３０）が形成されている請求項５又は６記載の地下茎枯殺作業具。
【発明の詳細な説明】
【技術分野】
【０００１】
本発明は、竹の地下茎枯殺方法及び地下茎枯殺作業具に関する。
【背景技術】
【０００２】
従来、竹林の繁茂を防止するために、不用な竹を伐採して処理する方法が採られてきた。
そこで、本発明の出願人は、竹を地面に近い位置で切断できる伐採機を提案している（特許文献１参照）。  
【先行技術文献】
【特許文献】
【０００３】
【特許文献１】特開２００９−１７１９４７号公報
【発明の概要】
【発明が解決しようとする課題】
【０００４】
しかし、竹は、地面の下を這う地下茎を介して竹の子（筍）を発生し、毎年のように繁茂する植物であり、従来のように地面の上の竹を伐採する方法では、地下茎の成長を阻止することができないため、翌年の竹の子（筍）の発生を抑制することができなかった。
【０００５】
そこで、本発明は、竹の子（筍）の発生を防止し不用な竹の増殖を抑制する竹の地下茎枯殺方法及び地下茎枯殺作業具を提供することを目的とする。
【課題を解決するための手段】
【０００６】
本発明に係る竹の地下茎枯殺方法は、地面上に露出した竹の切株の上端中央部に、上端にグリップ部を有する串状の穿孔部材を槌で叩いて打ち込んで上記切株の稈節の隔壁部に貫通孔部を次々に形成し、上記グリップ部を手で把持して上記穿孔部材を上記切株から引き抜き、上記切株の上端開口部に上記地下茎を枯死させる液剤を注入し、上記貫通孔部を通して上記切株の下部まで到達させる方法である。
【０００７】
また、上記液剤を注入した後、上記切株の上から防水用の閉栓部材を被せて上記貫通孔部を閉塞する方法である。
また、上記槌により上記穿孔部材を打ち込んで上記隔壁部に横断面多角形状乃至星形状の貫通孔部を形成し、上記手により上記穿孔部材を捩じって該貫通孔部を円形に拡大して引き抜く方法である。
また、上記液剤が、塩化ナトリウム水溶液である方法である。
【０００８】
また、本発明に係る地下茎枯殺作業具は、竹を伐採した後の切株に突き刺して稈節の隔壁部に貫通孔部を形成する串状の穿孔部材と、該穿孔部材を叩いて上記切株に打ち込むための槌と、を備え、上記穿孔部材が、先端部を上記切株の下部に達するような長さ寸法を有する串本体部と、該串本体部の基端部に固着されたグリップ部とを、有するものである。
【０００９】
また、上記穿孔部材の串本体部を断面多角形状乃至星形状に形成したものである。
また、上記槌は、ヘッド部から握り柄部にわたって上記穿孔部材を収納可能な挿入孔部が形成されているものである。
【発明の効果】
【００１０】
本発明の竹の地下茎枯殺方法によれば、竹の切株の地下茎を確実に枯死させて、成長を阻止することができる。
【００１１】
また、本発明の地下茎枯殺作業具によれば、伐採した竹の切株の下部まで液剤を到達させることができ、確実に地下茎を枯死させて成長を阻止することができる。
【図面の簡単な説明】
【００１２】
【図１】本発明の竹の地下茎枯殺方法の実施の一形態を示した断面側面図である。
【図２】竹の地下茎枯殺方法を示した断面側面図である。
【図３】竹の地下茎枯殺方法を示した断面側面図である。
【図４】竹の地下茎枯殺方法を示した断面側面図である。
【図５】本発明の地下茎枯殺作業具の実施の一形態を示した斜視図である。
【図６】穿孔部材の一例を示した要部断面図である。
【図７】穿孔部材の他の例を示した要部断面図である。
【図８】成長抑制地帯を示した説明用簡略平面図である。
【発明を実施するための形態】
【００１３】
以下、実施の形態を示す図面に基づき本発明を詳説する。
まず、本発明の地下茎枯殺作業具について説明する。
図１，図２及び図５に示すように、地下茎枯殺作業具１は、竹を伐採した後の切株４０に突き刺して稈節４１の隔壁部４２に貫通孔部４を形成する串状の穿孔部材２と、穿孔部材２を叩いて切株４０に打ち込むための槌３とを、備えている。
穿孔部材２は、先端部２１を鋭利に尖らせた細い棒状であって、切株４０の下部４４に達するような長さ寸法Ｌを有する串本体部２０を備えている。串本体部２０は、基端部２３に、槌３の叩きを受けるための頭２０ａを有し、頭２０ａ寄りに人の手Ｈにて把持しやすい太さの丸棒（円柱）状であって両端部２２ａ，２２ｂを左右方向に突出し串本体部２０と十字を成すグリップ部２２を固着している。
槌３は、金属製のヘッド部３１を有するハンマーであり、握り柄部３２を合成樹脂部材で被覆している。槌３には、ヘッド部３１から握り柄部３２にわたって挿入孔部３０が形成されている。挿入孔部３０は、ヘッド部３１の上端中央部に開口する細長の空洞であり、穿孔部材２の先端部２１からグリップ部２２までを挿入して収納可能としている。
【００１４】
図６に示すように、穿孔部材２は、串本体部２０を断面視正六角形状に形成している。串本体部２０は、外周面に複数のエッジ２４…を有している。なお、串本体部２０は、外接円が略真円形であって断面形状が複数のエッジ２４…を有する多角形状であれば、適宜設計変更可能とし、断面視四角形状に形成するもよく、又は、鋭く尖ったエッジ２４…を有する断面視星形状（図７参照）に形成するもよい。
【００１５】
次に、本発明の竹の地下茎枯殺方法（上述した地下茎枯殺作業具の使用方法）について説明する。
図１に示すように、地面Ｇ上に露出した竹の切株４０の上端中央部に、上端にグリップ部２２を有する串状の穿孔部材２を槌３で叩いて打ち込んで切株４０の稈節４１の隔壁部４２に貫通孔部４を次々に形成する。この際、槌３により打ち込まれる穿孔部材２は、隔壁部４２に正六角形状（星形状）の貫通孔部４を形成する。穿孔部材２は、鋭利に尖った先端部２１にて隔壁部４２を突き破り、稈節４１に割れを発生させることなく切株４０の下部４４に達する。切株４０は、地面Ｇから深くなるにつれて次第に稈節４１の間隔が狭くなり、隔壁部４２に貫通孔部４を貫通形成するのに大きな力が必要となるが、槌３で頭２０ａを叩くことで、穿孔部材２が下部４４に確実に達するまで打ち込まれる。
図２に示すように、グリップ部２２を手Ｈで把持して穿孔部材２を切株４０から引き抜き、切株４０の上端開口部４０ａから下部４４までを連通状とする。この際、手Ｈにより穿孔部材２を捩じり軸心Ｎ１廻りに捩じって、串本体部２０のエッジ２４…により貫通孔部４を円形に拡大する。貫通孔部４は、図６及び図７に２点鎖線にて示すように、串本体部２０の外接円状に形成される。
穿孔部材２は、槌３により打ち込まれた際に隔壁部４２（貫通孔部４）に挟圧され引抜きにくくなっているが、貫通孔部４を円形に拡大することで串本体部２０と隔壁部４２との接触面積を減少させ、引抜きが容易となる。また、穿孔部材２は、グリップ部２２の両端部２２ａ，２２ｂを左右方向に突出しているため、テコの原理を利用して捩じることができ、貫通孔部４の拡大を容易に行える。
【００１６】
次に、図３に示すように、切株４０の上端開口部４０ａに液剤Ｓを注入する。液剤Ｓは、無毒で、かつ、土壌を汚染する虞のない（高濃度の）塩化ナトリウム水溶液を用いるのが望ましい。液剤Ｓは、貫通孔部４を通して切株４０の下部４４まで到達する。なお、塩化ナトリウム水溶液は、溶解度に達した飽和状態乃至溶解度近くまで濃度を高めた高濃度の溶液とするのが好ましく、予め加熱して高濃度の塩化ナトリウム水溶液を調整するも好ましい。
図４に示すように、液剤Ｓを注入した後、切株４０の上から防水用の閉栓部材５を被せて貫通孔部４を閉塞するも好ましい。閉栓部材５は、ゴムや合成樹脂等から成り、切株４０の上端開口部４０ａから雨水が浸入して液剤Ｓを希釈するのを防止し、かつ、液剤Ｓの溶液の蒸発を抑制する。
液剤Ｓは、切株４０の中に滞留し、その後、竹の蒸散作用により下部４４から吸い上げられて地下茎４３を枯死させる。
【００１７】
図８に示すように、本発明の地下茎枯殺方法は、半径Ｒが３ｍ〜５ｍの成長抑制地帯６毎に施行するのが望ましい。液剤Ｓは、切株４０を中心として半径Ｒが３ｍ〜５ｍの範囲にわたって地下茎４３を枯死させ、周囲の竹を枯らす。複数の成長抑制地帯６…の切株４０…に対して適切に処理作業を行なうことにより、より広い範囲の竹林の成長を効果的に抑制することが可能である。
なお、本発明は、上述の実施形態に限定されるものではなく、本発明の要旨を逸脱しない範囲で設計変更が可能である。
【００１８】
以上のように、本発明の竹の地下茎枯殺方法によれば、地面Ｇ上に露出した竹の切株４０の上端中央部に、上端にグリップ部２２を有する串状の穿孔部材２を槌３で叩いて打ち込んで切株４０の稈節４１の隔壁部４２に貫通孔部４を次々に形成し、グリップ部２２を手Ｈで把持して穿孔部材２を切株４０から引き抜き、切株４０の上端開口部４０ａに地下茎４３を枯死させる液剤Ｓを注入し、貫通孔部４を通して切株４０の下部４４まで到達させるので、竹の切株４０の地下茎４３を確実に枯死させて、成長を阻止することができる。即ち、翌年の竹の子（筍）の発生を抑制し、年毎に竹を伐採する手間を省くことができる。
【００１９】
また、液剤Ｓを注入した後、切株４０の上から防水用の閉栓部材５を被せて貫通孔部４を閉塞するので、切株４０の上端開口部４０ａから雨水が浸入して液剤Ｓが薄まるのを防止でき、かつ、液剤Ｓの溶液の蒸発を抑制でき、より確実に地下茎４３の成長を阻止することができる。
【００２０】
また、槌３により穿孔部材２を打ち込んで隔壁部４２に横断面多角形状乃至星形状の貫通孔部４を形成し、手Ｈにより穿孔部材２を捩じって貫通孔部４を円形に拡大して引き抜くので、人の手Ｈにて小さな力で容易に引抜くことができる。
【００２１】
また、液剤Ｓが、（高濃度の）塩化ナトリウム水溶液であるので、人体に無害で、薬害を発生させず、環境を汚染することがなく安全である。しかも、安価で容易に調製できる。
【００２２】
また、本発明の地下茎枯殺作業具によれば、竹を伐採した後の切株４０に突き刺して稈節４１の隔壁部４２に貫通孔部４を形成する串状の穿孔部材２と、穿孔部材２を叩いて切株４０に打ち込むための槌３とを、備え、穿孔部材２が、先端部２１を切株４０の下部４４に達するような長さ寸法Ｌを有する串本体部２０と、串本体部２０の基端部２３に固着されたグリップ部２２とを、有するので、切株４０の下部４４まで液剤Ｓを到達させることができ、確実に地下茎４３を枯死させて成長を阻止することができる。
【００２３】
また、穿孔部材２の串本体部２０を断面多角形状乃至星形状に形成したので、人の手Ｈにて小さな力で容易に引抜くことができる。
【００２４】
また、槌３は、ヘッド部３１から握り柄部３２にわたって穿孔部材２を収納可能な挿入孔部３０が形成されているので、穿孔部材２を槌３に収納して持ち歩くことができ、作業効率を低下させない。
【符号の説明】
【００２５】
２  穿孔部材
３  槌
４  貫通孔部
５  閉栓部材
２０  串本体部
２１  先端部
２２  グリップ部
２３  基端部
３０  挿入孔部
３１  ヘッド部
３２  握り柄部
４０  切株
４０ａ  上端開口部
４１  稈節
４２  隔壁部
４３  地下茎
４４  下部
Ｇ  地面
Ｈ  手
Ｓ  液剤
Ｌ  長さ寸法
【図１】
2011229467.tif 000003
【図２】
2011229467.tif 000004
【図３】
2011229467.tif 000005
【図４】
2011229467.tif 000006
【図５】
2011229467.tif 000007
【図６】
2011229467.tif 000008
【図７】
2011229467.tif 000009
【図８】
2011229467.tif 000010